(57)【要約】【課題】１つのノイズ吸収具によってノーマルモードのノイズとコモンモードのノイズとを共に吸収することのできるノイズ吸収具、及び、そのノイズ吸収具を用いてノイズ対策を施したノイズ吸収構造の提供。【解決手段】ノイズ吸収具１は、中空部を有する筒状の磁性体コアとして組み合わせ可能な断面コの字形の一対の分割コア２，２を備えており、その内壁面２Ａには、上記中空部の略長方形状断面の長辺中央に対応する位置から突起３がそれぞれ３箇所に突設されている。突起３を挟むようにして２本の電線を挿入し、かつ、３つの突起３の間で電線を捩った上で、一対の分割コア２を組み合わせると、突起３に隣接する区間では２本の電線が磁性体によって外周から個々に囲まれることになり、突起３に隣接しない区間では２本の電線がまとめて磁性体によって囲まれることになる。【選択図】図１
2011100888.tif 000002
【特許請求の範囲】
【請求項１】
少なくとも２本の電線が挿入可能な中空部を有する筒状の磁性体コアとして組み合わせ可能な一対の分割コアと、
少なくとも一方の上記分割コアの上記中空部を構成する部分から、上記中空部の軸方向の一部の区間に亘って突設され、上記２本の電線の間を通って上記一対の分割コアをつなぐ磁路を形成する磁性体からなる突起と、
を備えたことを特徴とするノイズ吸収具。
【請求項２】
上記突起が上記軸方向の複数の区間に突設され、上記２本の電線を当該区間の間で捩って上記中空部に挿入可能なことを特徴とする請求項１記載のノイズ吸収具。
【請求項３】
上記突起は、上記一対の分割コアが組み合わされたときに上記一対の分割コアをつないで形成する磁路に隙間を形成することを特徴とする請求項１または２記載のノイズ吸収具。
【請求項４】
請求項２記載のノイズ吸収具と、
上記区間の間で捩って上記中空部に挿入された２本の電線と、
を備えたことを特徴とするノイズ吸収構造。
【発明の詳細な説明】
【技術分野】
【０００１】
本発明は、少なくとも２本の電線を挿入されてその電線を流れるノイズを吸収するノイズ吸収具、及び、２本の電線を備えてその電線を流れるノイズを吸収するノイズ吸収構造に関する。
【背景技術】
【０００２】
従来より、電線が挿入可能な中空部を有する筒状の磁性体コアとして組み合わせ可能な一対の分割コアを備えたノイズ吸収具が提案されている。この種のノイズ吸収具では、上記一対の分割コアを組み合わせて筒状の磁性体コアとし、その磁性体コアの中空部に電線を挿入しておけば、その電線を流れるノイズを吸収することができる。
【０００３】
また、２本の電線を介して信号等の電流が通電される場合は、ノイズ電流の方向が逆向きのノーマルモードのノイズと、ノイズ電流の方向が同じのコモンモードのノイズとが発生する。そこで、ノーマルモードのノイズを吸収するためには上記磁性体コアの中空部に電線を１本ずつ挿入し、コモンモードのノイズを吸収するためには上記磁性体コアの中空部に２本の電線を一緒に挿入することが提案されている（例えば、特許文献１参照）。
【先行技術文献】
【特許文献】
【０００４】
【特許文献１】特開平６−３１０３４０号公報
【発明の概要】
【発明が解決しようとする課題】
【０００５】
ところが、上記方法でノーマルモードのノイズとコモンモードのノイズとを共に吸収するためには、合計３つの磁性体コアを２本の電線に装着する必要があり、装着作業の作業性が低下すると共にノイズ対策のためのコストも上昇する。そこで、本発明は、１つのノイズ吸収具によってノーマルモードのノイズとコモンモードのノイズとを共に吸収することのできるノイズ吸収具、及び、そのノイズ吸収具を用いてノイズ対策を施したノイズ吸収構造の提供を目的としてなされた。
【課題を解決するための手段】
【０００６】
上記目的を達するためになされた本発明のノイズ吸収具は、少なくとも２本の電線が挿入可能な中空部を有する筒状の磁性体コアとして組み合わせ可能な一対の分割コアと、少なくとも一方の上記分割コアの上記中空部を構成する部分から、上記中空部の軸方向の一部の区間に亘って突設され、上記２本の電線の間を通って上記一対の分割コアをつなぐ磁路を形成する磁性体からなる突起と、を備えたことを特徴としている。
【０００７】
このように構成された本発明のノイズ吸収具では、一対の分割コアを組み合わせてなる筒状の磁性体コアの中空部には、少なくとも２本の電線を挿入することができる。また、少なくとも一方の上記分割コアの上記中空部を構成する部分からは、磁性体からなる突起が突設されている。この突起は、上記中空部の軸方向の一部の区間に亘って突設され、上記２本の電線の間を通って上記一対の分割コアをつなぐ磁路を形成する。このため、上記中空部における上記一部の区間では、上記２本の電線を個々に周回する２つの磁路を形成してノーマルモードのノイズを吸収することができる。また、上記中空部における他の区間では、上記２本の電線全体を周回する１つの磁路を形成してコモンモードのノイズを吸収することができる。従って、本発明のノイズ吸収具を用いれば、１つのノイズ吸収具によってノーマルモードのノイズとコモンモードのノイズとを共に吸収することができる。従って、本発明のノイズ吸収具を用いれば、ノイズ対策の作業性を向上させると共にそのノイズ対策のためのコストも低減することができる。
【０００８】
なお、上記突起は、上記軸方向の複数の区間に突設され、上記２本の電線を当該区間の間で捩って上記中空部に挿入可能であってもよい。その場合、２本の電線が捩って重ねられた部分の周囲には、その部分を間に挟んだ一対の上記突起と上記一対の分割コアとを通る磁路が形成されるので、一層良好にノイズを吸収することができる。また、２本の電線が捩られることによって各電線が上記突起に密着するので、より一層良好にノイズを吸収することができる。更に、このように２本の電線が捩られることによって各電線が上記突起に密着するので、電線の径に合わせてその電線が密着するような各種サイズのノイズ吸収具を用意しておく必要がなく、ノイズ対策のためのコストを一層良好に低減することができる。
【０００９】
また、上記突起は、上記一対の分割コアが組み合わされたときに上記一対の分割コアをつないで形成する磁路に隙間を形成してもよい。このように、上記突起が上記一対の分割コアをつないで形成する磁路が隙間（いわゆるエアギャップ）を有する場合、その磁路が磁気飽和するのを抑制することができる。従って、この場合、磁気飽和を抑制することによって上記ノイズを一層良好に吸収することができる。
【００１０】
また、上記目的を達するためになされた本発明のノイズ吸収構造は、上記突起が軸方向の複数の区間に突設された上記ノイズ吸収具と、上記区間の間で捩って上記中空部に挿入された２本の電線と、を備えたことを特徴としている。このため、本発明のノイズ吸収構造では、前述のように、上記２本の電線を流れるノーマルモードのノイズとコモンモードのノイズとを１つのノイズ吸収具によって共に吸収することができる。また、上記２本の電線が捩って重ねられた部分の周囲には、その部分を間に挟んだ一対の上記突起と上記一対の分割コアとを通る磁路が形成されるので、一層良好にノイズを吸収することができる。更に、上記２本の電線が捩られることによって各電線が上記突起に密着するので、より一層良好にノイズを吸収することができる。
【図面の簡単な説明】
【００１１】
【図１】本発明が適用されたノイズ吸収具の構成を表す斜視図（Ａ）、その一方の分割コアの構成を表す斜視図（Ｂ）、そのノイズ吸収具の構成を表す正面図（Ｃ）である。
【図２】そのノイズ吸収具の使用状態を表す説明図である。
【図３】そのノイズ吸収具に形成される磁路を表す説明図である。
【図４】そのノイズ吸収具の変形例の構成を表す模式図である。
【図５】そのノイズ吸収具の他の変形例の構成を表す斜視図（Ａ）、分解斜視図（Ｂ）、正面図（Ｃ）である。
【発明を実施するための形態】
【００１２】
次に、本発明の実施の形態を図面と共に説明する。図１（Ａ）は、本発明が適用されたノイズ吸収具１の構成を表す斜視図であり、図１（Ｃ）は、そのノイズ吸収具１の構成を表す正面図である。
【００１３】
図１（Ａ），（Ｃ）に示すように、ノイズ吸収具１は、中空部を有する筒状の磁性体コアとして組み合わせ可能な断面コの字形の一対の分割コア２，２を備えている。また、図１（Ｂ）は、一方の分割コア２の構成を表す斜視図である。なお、以下の説明において、上記中空部の軸方向を縦方向という。
【００１４】
図１に示すように、一対の分割コア２は、組み合わされたときに上記中空部の外周を構成する内壁面２Ａを備えており、この内壁面２Ａは、組み合わされたときに、横断面が略長方形で角部が円弧状に面取りされた形状となる中空部を構成する。また、一対の分割コア２は、上記中空部の略長方形状横断面の一対の短辺中央で分割されており、その部分が分割コア２の分割面２Ｂとなっている。これら一対の分割コア２は、図示省略したケースに収納され、そのケースを閉じることによって図１（Ａ），（Ｃ）に示すような組み合わされた状態に保持される。
【００１５】
また、各分割コア２の内壁面２Ａには、上記中空部の略長方形状断面の長辺中央に対応する位置から突起３がそれぞれ突設されている。この突起３は、角部が円弧状に面取りされ縦方向に平行な２辺を有する正四角柱状で、図１（Ｂ）に示すように、分割コア２の縦方向両端と中央の３箇所に突設され、分割コア２と一体の磁性体によって構成されている。また、図１（Ｃ）に示すように、各突起３の先端側の端面３Ａは、分割コア２が分割面２Ｂを当接させて組み合わされたときに、もう一方の分割コア２における突起３の端面３Ａと所定の隙間（いわゆるエアギャップ）を開けて対向するように、その突起３の長さが設計されている。なお、分割コア２，突起３を構成する磁性体としては、マンガン系（酸化鉄，酸化マンガン，酸化亜鉛）のフェライトや、ニッケル系（酸化鉄，酸化ニッケル，酸化銅，酸化亜鉛）のフェライトなど、種々のものが適用できる。
【００１６】
このように構成された本実施の形態のノイズ吸収具１は、図２に示すように、突起３を挟むようにして２本の電線９１，９２を挿入し、かつ、３つの突起３の間で電線９１，９２を捩った上で、一対の分割コア２を組み合わせて使用される。すると、次のように、図２に示す区間９３では電線９１，９２を流れるノーマルモードのノイズを吸収することができ、区間９４では電線９１，９２を流れるコモンモードのノイズを吸収することができる。なお、電線９１，９２を挿入するに当っては、電線９１，９２は捩りながら上記のように挿入してもよいし、電線９１，９２が最初から捩られている場合は捩りを戻すことによってその戻され部分に突起３を挿入してもよい。
【００１７】
図３（Ａ）の横断面図に示すように、突起３を挟んで電線９１，９２が配設される区間９３では、２本の電線９１，９２が磁性体によって外周から個々に囲まれることになる。このため、互いに対向する突起３を通って電線９１，９２を個々に周回する２つの磁路９１Ａ，９２Ａを形成してノーマルモードのノイズを吸収することができる。なお、区間９３では、電源電流による磁路も磁路９１Ａ，９２Ａと同様に形成されるが、突起３の端面３Ａの間に前述のエアギャップが存在するため、磁気飽和を抑制することができる。
【００１８】
また、電線９１，９２の間に突起３が存在しない区間９４では、図３（Ｂ）の横断面図に示すように、２本の電線９１，９２がまとめて磁性体によって囲まれることになる。このため、電線９１，９２の全体を周回する磁路９１Ｃ，９２Ｃを形成してコモンモードのノイズを吸収することができる。また、このとき、各電線９１，９２を流れるコモンモードのノイズによって電線９１，９２の間に形成される磁界９１Ｄ，９２Ｄは、互いに打ち消しあう。なお、区間９４では、図３（Ｃ）の横断面図に示すように、電源電流によって磁路９１Ｅ，９２Ｅが形成されるが、これらの磁路９１Ｅ，９２Ｅは方向が異なるため互いに打ち消し合い、その電源電流による磁気飽和も抑制することができる。
【００１９】
更に、図３（Ｄ）の縦断面図に示すように、ノーマルモードのノイズによって、中央の突起３と一端の突起３、若しくは中央の突起３と他端の突起３とを通る磁路９１Ｆ，９２Ｆが形成される。このように、ノイズ吸収具１では縦方向にも磁路が形成されるので、ノイズを一層良好に吸収することができる。
【００２０】
このように、本実施の形態のノイズ吸収具１を用いれば、１つのノイズ吸収具１によってノーマルモードのノイズとコモンモードのノイズとを共に吸収することができる。従って、ノイズ対策の作業性を向上させると共にそのノイズ対策のためのコストも低減することができる。
【００２１】
なお、図３（Ａ）〜（Ｃ）に示したようなノイズ吸収効果は、電線９１，９２を捩らずに、電線９１を各突起３の一方の側に配設して電線９２を各突起３の他方の側に配設しても生じる。但し、上記のように電線９１，９２を捩った場合、図３（Ｄ）に示したような縦方向の磁路によってもノーマルモードのノイズが吸収できるばかりでなく電線９１，９２が捩られることによって各突起３に密着するので、ノーマルモードのノイズをより一層良好に吸収することができる。また、電線９１，９２を捩ることにより、ノイズ吸収具１の内部に存在する電線９１，９２の長さが捩らない場合より大きくなり（例えば１．１６倍〜１．４倍）、ノーマルモードのノイズ及びコモンモードのノイズを一層良好に吸収することができる。
【００２２】
更に、このように電線９１，９２が捩られることによって各電線９１，９２が各突起３に密着するので、電線９１，９２の径に合わせてその電線９１，９２が密着するような各種サイズのノイズ吸収具を用意しておく必要がなく、ノイズ対策のためのコストを一層良好に低減することができる。また、このため、ノイズ吸収具１では、電線９１，９２の径に対して、内壁面２Ａによって構成される中空部が余裕を持っている場合がある。従って、その場合、電線９１，９２を分割コア２に対して何周も巻き付けることによってその電線９１，９２に対するインピーダンスを向上させることも可能となる。
【００２３】
なお、本発明は上記実施の形態に何等限定されるものではなく、本発明の要旨を逸脱しない範囲で種々の形態で実施することができる。例えば、前述のノイズ吸収具１では、図４（Ａ）に模式的に示すように、突起３を各分割コア２から突出させて両者の中央でエアギャップを開けて対向させているが、突起やエアギャップの形態は種々に変更することができる。例えば、図４（Ｂ）に模式的に示すノイズ吸収具２１のように、突起２３を一方の分割コア２のみから突出させ、その先端側の端面２３Ａを他方の分割コア２の内壁面２Ａに所定のエアギャップを開けて対向させてもよい。また、図４（Ｃ）に示すノイズ吸収具３１のように、突起３３を一方の分割コア２のみから突出させ、その先端側の端面３３Ａを他方の分割コア２の内壁面２Ａと同一平面上に配設し、当該他方の分割コア２の側に凹部２Ｄを形成することによってエアギャップを形成してもよい。これらの場合も、前述のノイズ吸収具１と同様の作用・効果が生じる。
【００２４】
また、上記各実施の形態では同様の外形を有する一対の分割コア２を使用しているが、図５に示すノイズ吸収具４１のように、一方の分割コア４２を断面コの字形に形成し、他方の分割コア４５を平板状に構成してもよい。なお、図５（Ａ）はノイズ吸収具４１の構成を表す斜視図であり、図５（Ｂ）はそのノイズ吸収具４１の構成を表す分解斜視図、図５（Ｃ）は、そのノイズ吸収具４１の構成を表す正面図である。
【００２５】
図５に示すように、このノイズ吸収具４１では、一方の分割コア４２のみから突起４３が突出し、その突起４３の先端側の端面４３Ａは他方の分割コア４５に所定のエアギャップを開けて対向している。このように構成されたノイズ吸収具４１でも、上記各実施の形態のノイズ吸収具１〜３１と同様の作用・効果が生じる。
【００２６】
また、突起３の形状も種々に変更することができる。但し、突起３が前述のように四角柱状であると図３（Ｄ）に示したような縦方向の磁路ができ易いといった効果が生じる。また、突起３に前述のような面取りがなされていたり、突起３が円柱状であると、電線９１，９２に傷が付き難く、しかも、電線９１，９２を捩って挿入することが容易になるといった効果が生じる。更に、突起３は一対の対向する頂点を縦方向に有する菱形であったり、縦方向に細長い平板状であったりしてもよく、この場合も、電線９１，９２を捩って挿入することが容易になるといった効果が生じる。また更に、突起３は１つまたは２つまたは４つ以上設けてもよく、縦１列に設けるばかりでなく縦横にマトリックス状に設けてもよい。
【符号の説明】
【００２７】
１，２１，３１，４１…ノイズ吸収具      ２，４２，４５…分割コア
２Ａ，４２Ａ…内壁面                    ３，２３，３３，４３…突起
３Ａ，２３Ａ，３３Ａ，４３Ａ…端面      ９１，９２…電線
【図１】
2011100888.tif 000003
【図２】
2011100888.tif 000004
【図４】
2011100888.tif 000005
【図５】
2011100888.tif 000006
【図３】
2011100888.tif 000007